(57)【要約】【課題】屋外環境に設置された野生動物用の固形塩を埋没、融解させにくくすることが可能となり、容易にその設置位置を判別することが可能となる野生動物用固形塩設置装置を提供する。【解決手段】本発明を適用した野生動物用固形塩設置装置１は、野生動物用の固形塩９を設置するためのものであって、固形塩９に形成された孔部９１に挿通される芯材２０と、芯材２０が接続される支柱３０とを備え、支柱３０は、下端側３０ａが地面に埋設されて固定されるとともに、固形塩９の孔部９１に挿通された芯材２０が、支柱３０の上端側３０ｂに接続されることで、地面Ｇから所定の高さに固形塩９が配置されるものとなることを特徴とする。【選択図】図２
2017176144.tif 000002
【特許請求の範囲】
【請求項１】
野生動物用の固形塩を設置するための野生動物用固形塩設置装置であって、
固形塩に形成された孔部に挿通される芯材と、前記芯材が接続される支柱とを備え、
前記支柱は、下端側が地面に埋設されて固定されるとともに、前記固形塩の前記孔部に挿通された前記芯材が、前記支柱の上端側に接続されることで、地面から所定の高さに前記固形塩が配置されるものとなること
を特徴とする野生動物用固形塩設置装置。
【請求項２】
前記芯材は、前記固形塩の下面側に配置される受け板から突出させて設けられて、前記支柱の上端側に前記受け板が取り付けられることで、前記支柱の上端側に接続されること
を特徴とする請求項１記載の野生動物用固形塩設置装置。
【請求項３】
前記芯材は、前記固形塩を貫通させた前記孔部に挿通されて、前記芯材の両端部が前記支柱に支持されることで、前記支柱の上端側に接続されること
を特徴とする請求項１又は２記載の野生動物用固形塩設置装置。
【請求項４】
前記芯材は、断面略円形状に形成されること
を特徴とする請求項１〜３の何れか１項記載の野生動物用固形塩設置装置。
【請求項５】
前記固形塩は、前記固形塩の上面側に雨除板が設けられること
を特徴とする請求項１〜４の何れか１項記載の野生動物用固形塩設置装置。
【発明の詳細な説明】
【技術分野】
【０００１】
本発明は、野生動物用の固形塩を設置するための野生動物用固形塩設置装置に関する。
【背景技術】
【０００２】
近年、日本において、狩猟人口の減少や高齢化に起因して、野生動物の個体数が急激に増加している。特に、シカ科、ウシ科、イノシシ科に属する野生動物の個体数増加は顕著であり、農業における農作物被害、林業における植林被害や樹皮剥ぎ被害、交通業における車両衝撃被害等、広範囲で人的被害が後を絶たない状況にある。
【０００３】
このような被害が発生するのは、野生動物の生息域に、人の産業活動が行われる敷地（以下、保護地という。）が存在し、この保護地内に野生動物が侵入することに起因する。保護地としては、例えば、田畑を有する敷地、林業に用いられる敷地、鉄道や道路等を有する敷地等である。
【０００４】
このような被害対策として、野生動物を保護地内に侵入するのを防止するために、例えば、特許文献１に草食動物侵入抑止柵が開示されている。
【０００５】
特許文献１に開示されている草食動物侵入抑止柵によれば、草食動物の侵入を抑止する機能を備えつつ、仮に草食動物が侵入した場合、緊急脱出が容易であり、かつ脱出時に柵が損傷しても路側に破損物が侵入することを効果的に防止することが可能となる。
【０００６】
しかしながら、このような従来の対策は、保護地と保護地域外との境界に設置されるため、その設置に時間が掛かるという問題点があった。
【０００７】
また、このような従来の対策がなされていた場合であっても、野生動物は、保護地内に侵入してくる場合がある。これは、野生動物の行動習性に起因している。以下には、野生動物として、反芻亜目に分類される、例えば、シカ科、ウシ科の野生動物（以下、対象動物という。）の行動習性を例示して説明する。
【０００８】
対象動物は、胃の中に共生させているバクテリア等の共生微生物を介して、草等から摂取されるセルロース等の食物繊維を分解して、発酵させている。対象動物は、食物繊維を分解して発酵させて生成された酢酸やプロピオン酸、酪酸等の低級脂肪酸を主とする有機物と、共生微生物とを吸収することによって、自らのエネルギー源としている。
【０００９】
また、対象動物は、胃の中で食物繊維を分解、発酵させることによって、胃の中の水素イオン濃度指数（ｐＨ）が低下した場合、共生微生物が活性化しにくくなる。このため、対象動物は、塩分や鉄分等のミネラル分を摂取することによって、共生微生物の活性化を促す。
【００１０】
このように共生微生物は、食物繊維を分解、発酵するのみならず、対象動物のエネルギー源となるため、対象動物にとって極めて重要な役割を担っている。このような共生微生物を胃の中に共生させる対象動物は、自らの生命維持に必要なものとして、草等の食物繊維を摂取するのみならず、ミネラル分を積極的に摂取しようとする。
【００１１】
しかしながら、対象動物は、自然環境において、草等から摂取されるセルロース等の食物繊維からミネラル分を十分に摂取することができず、また、土や樹皮等からこれらに含まれるミネラル分を摂取できるものの、その量は微量であるため、ミネラル分を十分に摂取することができない。
【００１２】
従って、対象動物は、ミネラル分が常に欠乏状態にあると考えられ、自らの生命維持に必要なものが保護地にある場合には、身体の安全を顧みず、保護地へ侵入してでも、食物繊維やミネラル分を摂取しようとする行動習性が見受けられる。
【００１３】
一方、対象動物の行動習性を利用して、野生動物用の固形塩を設置することによって、対象動物を保護地内に侵入するのを防止する対策も取られている。
【００１４】
この野生動物用の固形塩は、塩分や鉄分等のミネラル分が含まれている。野生動物用の固形塩は、対象動物がその生息域の外に出て栄養源を摂取することは稀であることから、対象動物の生息域内に設置されることが望ましい。対象動物の生息域内に設置された野生動物用の固形塩は、保護地外の地面に直接設置される。
【００１５】
野生動物用の固形塩は、対象動物に発見された場合には、ミネラル分を補給するために摂取し続けられる。その結果、対象動物を固形塩の周囲、即ち、保護地外に長時間（例えば、数時間程度）滞在させることが可能となる。
【００１６】
しかしながら、野生動物用の固形塩は、地面に直接設置されることによって、降雨や地面の水分を吸収することにより、融解してしまうという問題点があった。また、野生動物用の固形塩は、積雪や落ち葉等により、埋没してしまうという問題点があった。このように、野生動物用の固形塩は、屋外環境に晒され続けられるため、その設置位置を判別できなくなってしまうという問題点があった。
【００１７】
また、野生動物用の固形塩は、特段地面に固定されるものではないため、対象動物に摂取し続けられることによって、その位置が移動してしまい、設置位置を判別できなくなってしまうという問題点があった。
【００１８】
このように野生動物用の固形塩は、その設置位置を判別できなくなってしまった場合には、対象動物の生息域を対象動物のフンや食痕、ヒヅメの跡等の位置に基づいて探索して、再度保護地外に設置される。また、野生動物用の固形塩は、対象動物に摂取し続けられて小さくなった場合や摂取し尽くされた場合には、再度保護地外に設置される。
【００１９】
しかしながら、野生動物用の固形塩を再度保護地外に設置するためには、改めて対象動物のフンや食痕、ヒヅメの跡等の位置に基づいて生息域を探索する必要がある。このため、野生動物用固形塩は、設置位置を判別できなくなってしまった場合には、対象動物の生息域を発見するのに多大な労力を要し、その設置位置を改めて探す手間が生じてしまうという問題点があった。
【００２０】
また、野生動物用の固形塩は、地面に直接設置されることによって、対象動物以外の野生動物に尿等によりマーキングされた場合、対象動物を近づきにくくさせてしまうため、対象動物を固形塩の周囲に滞在させる効果を有意に発揮することができなくなるという問題点があった。
【００２１】
野生動物用の固形塩は、これを設置するものとして、樹脂等からなるザルやカゴが用いられる場合がある。
【００２２】
しかしながら、このようなザルやカゴは、地面に固定されていないため、当初の設置位置から移動してしまうという問題点があった。
【００２３】
従って、野生動物用の固形塩を設置する野生動物用固形塩設置装置として、屋外環境に設置された固形塩が自然環境の変化により埋没、融解しにくく、その設置位置を容易に判別できるものが求められている。
【先行技術文献】
【特許文献】
【００２４】
【特許文献１】特開２０１５−７７０７５号公報
【発明の概要】
【発明が解決しようとする課題】
【００２５】
そこで、本発明は、屋外環境に設置された野生動物用の固形塩を埋没、融解させにくくすることが可能となり、その設置位置を容易に判別することが可能となる野生動物用固形塩設置装置を提供することにある。
【課題を解決するための手段】
【００２６】
第１発明に係る野生動物用固形塩設置装置は、野生動物用の固形塩を設置するためのものであって、固形塩に形成された孔部に挿通される芯材と、前記芯材が接続される支柱とを備え、前記支柱は、下端側が地面に埋設されて固定されるとともに、前記固形塩の前記孔部に挿通された前記芯材が、前記支柱の上端側に接続されることで、地面から所定の高さに前記固形塩が配置されるものとなることを特徴とする。
【００２７】
第２発明に係る野生動物用固形塩設置装置は、第１発明において、前記芯材は、前記固形塩の下面側に配置される受け板から突出させて設けられて、前記支柱の上端側に前記受け板が取り付けられることで、前記支柱の上端側に接続されることを特徴とする。
【００２８】
第３発明に係る野生動物用固形塩設置装置は、第１発明又は第２発明において、前記芯材は、前記固形塩を貫通させた前記孔部に挿通されて、前記芯材の両端部が前記支柱又は前記受け板に支持されることで、前記支柱の上端側に接続されることを特徴とする。
【００２９】
第４発明に係る野生動物用固形塩設置装置は、第１発明〜第３発明の何れかにおいて、前記芯材は、断面略円形状に形成されることを特徴とする。
【００３０】
第５発明に係る野生動物用固形塩設置装置は、第１発明〜第４発明の何れかにおいて、前記固形塩は、前記固形塩の上面側に雨除板が設けられることを特徴とする。
【発明の効果】
【００３１】
第１発明〜第６発明によれば、地面から所定の高さに前記固形塩が配置されることによって、固形塩が積雪や落ち葉等により埋没するのを防止することが可能となり、その設置位置の認識が容易となる。
【００３２】
また、第１発明〜第６発明によれば、地面から所定の高さに前記固形塩が配置されることによって、固形塩が土に含まれる水分、地表の水たまりや雪等から水を吸収することにより融解するのを防止することが可能となる。
【００３３】
また、第１発明〜第６発明によれば、対象動物ではない対象外動物が固形塩に容易に尿等によりマーキングするのを防止することが可能となり、対象動物が固形塩を摂取するのを促すことが可能となる。
【００３４】
また、第１発明〜第６発明によれば、支柱の下端側が地面に埋設されることによって、支柱の位置が固定されるため、固形塩を対象動物が摂取したとき、その位置が変わることがなく、設置位置を容易に判別することが可能となる。
【００３５】
特に、第２発明によれば、対象動物が固形塩を摂取するときに、固形塩が受け板に設けられた芯材に固定されるものとなり、受け板から脱落するのを防止することが可能となる。
【００３６】
特に、第３発明によれば、芯材が固形塩を貫通させた孔部に挿通されて、芯材の両端部が支柱に支持されることで、固形塩が円滑に芯材を中心として回動することが可能となる。
【００３７】
特に、第４発明によれば、対象動物が固形塩を摂取するときに、固形塩が芯材を中心として円滑に回動するものとなり、摂取の際の反力が小さくなることで摂取量が減少するとともに、固形塩が外周面から満遍なく摂取されるため、摂取され尽くされるのを遅らせることが可能となり、固形塩の交換回数を減少させることが可能となる。
【００３８】
特に、第５発明によれば、固形塩の上面側に雨除板が設けられることによって、固形塩が雨除板に覆われるため、雨が降ったとき、固形塩が濡れるのを防止することが可能となり、雨水により融解するのを抑制することが可能となる。
【図面の簡単な説明】
【００３９】
【図１】本発明の第１実施形態に係る野生動物用固形塩設置装置を示す正面図である。
【図２】本発明の第１実施形態に係る野生動物用固形塩設置装置を示す斜視図である。
【図３】本発明の第１実施形態に係る野生動物用固形塩設置装置を示す断面図である。
【図４】本発明の第１実施形態に係る野生動物用固形塩設置装置に設置された固形塩に対する対象動物と対象外動物の高さを示す正面図である。
【図５】本発明の第１実施形態に係る野生動物用固形塩設置装置に設置された固形塩を対象動物が摂取する状態を示す斜視図である。
【図６】本発明の第２実施形態に係る野生動物用固形塩設置装置を示す斜視図である。
【図７】（ａ）は、本発明の第２実施形態に係る野生動物用固形塩設置装置を示す平面図であり、（ｂ）は、その側面図である。
【図８】本発明の第３実施形態に係る野生動物用固形塩設置装置を示す斜視図である。
【図９】（ａ）は、本発明の第３実施形態に係る野生動物用固形塩設置装置における受け板を示す側面図であり、（ｂ）は、その正面図である。
【図１０】（ａ）は、本発明の第３実施形態に係る野生動物用固形塩設置装置を示す側面図であり、（ｂ）は、その平面図である。
【図１１】本発明の第４実施形態に係る野生動物用固形塩設置装置を示す斜視図である。
【図１２】（ａ）は、本発明の第４実施形態に係る野生動物用固形塩設置装置を示す正面図であり、（ｂ）は、その側面図である。
【発明を実施するための形態】
【００４０】
以下、本発明を適用した野生動物用固形塩設置装置１を実施するための形態について、図面を参照しながら詳細に説明する。なお、以下の説明において、野生動物用固形塩設置装置１は、設置装置１と表記する。
【００４１】
設置装置１は、図１に示すように、野生動物用の固形塩９を設置するために用いられる。設置装置１は、固形塩９を摂取する対象動物８の生息域内であって、人の産業活動が行われる敷地（以下、保護地という。）の外に局所的に設置される。保護地は、例えば、田畑を有する敷地、林業に用いられる敷地、鉄道や道路等を有する敷地等である。
【００４２】
対象動物８は、例えば、中型、大型の野生動物が想定されていて、例えば、シカ科では、特にシカ属のニホンジカに分類される、エゾシカ、ホンシュウジカ、キュウシュウジカ、マゲシカ、ヤクシカ、ケラマジカ、ツシマジカ等が該当し、ホエジカ属に分類される、キョンも該当する。また、この対象動物８は、ウシ科では、特にカモシカ属に分類されるニホンカモシカ等やウシ属に分類される各種ウシ等が該当する。
【００４３】
固形塩９は、野生動物が摂取する餌であって、塩分や鉄分等のミネラル分が含まれて固形化されている。固形塩９は、対象動物８に舐められることで、摂取されるものである。固形塩９は、図２に示すように、略直方体形状に形成されて、その重量は、例えば１０ｋｇ程度で構成される。なお、固形塩９は、略直方体形状のものとしたが、例えば、略円柱状や、略球状等で構成されるものであってもよい。また、固形塩９は、その重量についても特に限定されるものではない。
【００４４】
固形塩９は、図３に示すように、略中央に貫通させた孔部９１が形成される。孔部９１は、断面略円形状に形成されるものとするが、断面略角形状に形成されるものであってもよい。また、孔部９１は、固形塩９に貫通されるものでなく、固形塩９の表面から所定の深さだけ穿設されるものであってもよい。その場合は、後述の芯材２０が固形塩９の表面から所定の深さまで挿し入れられて、芯材２０の先端で固形塩９の重量を支えることになる。
【００４５】
設置装置１は、第１実施形態において、図２に示すように、固形塩９に形成された孔部９１に挿通される芯材２０と、芯材２０が接続される支柱３０とを備える。特に、第１実施形態において、設置装置１は、支柱３０の上端側３０ｂに固定部材４１を介して受け板４０が取り付けられ、芯材２０の下端側２０ａが受け板４０に固定される。
【００４６】
支柱３０は、上下方向に向けて延びて形成される略円筒状の鋼管で構成される。支柱３０は、野生動物が接触しても自立できる程度の剛性を有する。なお、この支柱３０は、その形状が略円筒状に限定されず、略角筒状等の如何なるものであってもよい。また、支柱３０は、その材質が鋼材に限定されず、アルミニウム、真鍮等のようにあらゆる種類の金属や樹脂、木材などで構成されてもよい。
【００４７】
支柱３０は、下端側３０ａが所定の深さ分だけ地面Ｇに埋設されて固定される。支柱３０は、上端側３０ｂに受け板４０が取り付けられる。なお、ここでいう下端側３０ａとは、下端部及び下端部近傍を含むものをいい、上端側３０ｂとは、上端部及び上端部近傍を含むものという。
【００４８】
受け板４０は、略円形状の鋼板で構成される。なお、受け板４０は、その形状が略円形状に限定されず、略矩形状等に形成されるものであってもよい。また、受け板４０は、その材質が鋼材に限定されず、アルミニウム、真鍮等のようにあらゆる種類の金属や樹脂、木材などで構成されてもよい。
【００４９】
受け板４０は、下面４０ａに鋼管等で構成される固定部材４１が溶接等により固定されている。受け板４０は、図３に示すように、固定部材４１が支柱３０の内部に上方から挿通されることで、支柱３０の上端側３０ｂに取り付けられる。受け板４０は、固形塩９の下面側９ａに配置され、上面４０ｂの略中央に芯材２０の下端側２０ａが溶接等により固定されている。
【００５０】
芯材２０は、図１及び図２に示すように、略円柱状の鋼材で構成され、対象動物８が固形塩９を摂取する際に自立できる程度の剛性を有する。なお、芯材２０は、その形状が略円柱状に限定されず、略円筒状や略角柱状等で構成されてもよい。また、芯材２０は、その材質が鋼材に限定されず、アルミニウム、真鍮等のようにあらゆる種類の金属や樹脂、木材などで構成されてもよい。
【００５１】
芯材２０は、図３に示すように、受け板４０から上方に向けて突出させて設けられて、支柱３０の上端側３０ｂに受け板４０が取り付けられることで、支柱３０の上端側３０ｂに接続される。
【００５２】
芯材２０は、下端側２０ａが支柱３０に支持され、上端側２０ｂがねじ切りされて形成される。なお、芯材２０は、上端側２０ｂのみならず、全体がねじ切りされて形成されるものであってもよい。
【００５３】
芯材２０は、固形塩９に形成された孔部９１に挿通される。芯材２０は、上端側２０ｂに雨除板５０が設けられ、ナット６２が螺着される。なお、この雨除板５０及び雨除板５０の上面側に設けられるナット６２については、省略されてもよい。
【００５４】
雨除板５０は、略円形状の鋼板で構成され、固形塩９の上面側９ｂに設けられる。なお、雨除板５０は、その形状が略円形状に限定されず、略矩形状等に形成されるものであってもよい。また、雨除板５０は、その材質が鋼材に限定されず、アルミニウム、真鍮等のようにあらゆる種類の金属や樹脂、木材などで構成されてもよい。
【００５５】
雨除板５０は、略中央に略円形状の孔部５０ａが形成される。雨除板５０の孔部５０ａは、芯材２０が挿通され、内周面が平坦に形成されるものとする。なお、雨除板５０の孔部５０ａは、内周面がねじ切りされて形成されていてもよく、このとき、雨除板５０は、ねじ切りされた芯材２０の上端側２０ｂに雨除板５０の孔部５０ａを螺着させることで、芯材２０に固定されるものとなる。
【００５６】
本発明を適用した設置装置１は、固形塩９の孔部９１に挿通された芯材２０が、支柱３０の上端側３０ｂに接続されることで、地面Ｇから所定の高さに固形塩９が配置されるものとなる。これにより、設置装置１は、固形塩９が積雪や落ち葉等により埋没するのを防止することが可能となり、その設置位置の認識が容易となる。
【００５７】
また、設置装置１は、地面Ｇから所定の高さに固形塩９が配置されることによって、固形塩９が土に含まれる水分、地表の水たまりや雪等から水を吸収することにより融解するのを防止することが可能となる。
【００５８】
また、設置装置１は、支柱３０の下端側３０ａが地面Ｇに埋設されることによって、支柱３０の位置が固定されるため、固形塩９を対象動物８が摂取したとき、その位置が変わることがなく、その設置位置を容易に判別することが可能となる。
【００５９】
また、設置装置１は、地面Ｇに埋設される支柱３０の下端側３０ａの埋め込み深さを調整することによって、固形塩９の設置高さを調整することが可能となる。
【００６０】
設置装置１は、図４に示すように、対象動物８の成獣の肩高をＨ１としたとき、固形塩９の高さを任意の対象動物８の成獣の肩高Ｈ１に合わせて設定することができる。換言すれば、設置装置１は、支柱３０の下端側３０ａの埋め込み深さを調整することによって、対象動物８が固形塩９を摂取しやすい高さに設定することが可能となる。つまり、対象動物８が、例えば、エゾシカの場合には、Ｈ１を１．０ｍ程度とし、エゾシカよりも比較的小型なホンシュウジカの場合には、例えば、Ｈ１を０．８ｍ程度とし、固形塩９の設置高さを設定すればよい。
【００６１】
加えて、対象動物８ではない対象外動物７の成獣の肩高をＨ２としたとき、固形塩９の高さを対象外動物７の成獣の肩高Ｈ２よりも高くするように設定すればよい。これにより、設置装置１は、対象動物８ではない対象外動物７が固形塩９に容易に尿等によりマーキングされるのを防止することが可能となり、対象動物８が固形塩９を摂取するのを促すことが可能となる。その結果、固形塩９が設置された設置装置１の周囲に対象動物８を滞在させることが可能となる。
【００６２】
なお、ここでいう対象動物８ではない対象外動物７は、対象動物８よりも小型の野生動物が想定されており、例えば、ホンドギツネやキタキツネ等を指すものとする。つまり、対象動物８ではない対象外動物７が、例えば、キタキツネの場合には、Ｈ２を０．４ｍ程度として、固形塩９の設置高さをＨ２よりも高く設定すればよい。
【００６３】
このことから、固形塩９が配置される地面Ｇからの高さは、対象外動物７の成獣の肩高Ｈ２よりも高く、対象動物８の成獣の肩高Ｈ１以下の範囲で設定されることが望ましい。
【００６４】
設置装置１は、図５に示すように、芯材２０が固形塩９の下面側９ａに配置される受け板４０から上方に向けて突出させて設けられて、支柱３０の上端側３０ｂに受け板４０が取り付けられることで、支柱３０の上端側３０ｂに接続されるものとなる。これにより、設置装置１は、対象動物８が固形塩９を摂取するときに、固形塩９が芯材２０に固定されるものとなり、受け板４０から脱落するのを防止することが可能となる。
【００６５】
設置装置１は、固形塩９が芯材２０に固定されるため、固形塩９の周囲を囲う部材を必要としない。その結果、設置装置１は、固形塩９の外側面が開放されるものとなる。これにより、設置装置１は、対象動物８が固形塩９を摂取したときに、固形塩９を外側面から摂取することが可能となる。即ち、設置装置１は、複数の対象動物８が同時に固形塩９を摂取することが可能となり、対象動物８を固形塩９付近に滞在させる効果をより有意に発揮することが可能となる。
【００６６】
設置装置１は、芯材２０が断面略円形状に形成されることによって、対象動物８が固形塩９を摂取するときに、固形塩９が芯材２０を中心として円滑に回動しやすくすることが可能となる。なお、設置装置１は、芯材２０が断面略矩形状や断面略角形状に形成されたとしても、固形塩９における孔部９１の内径の最小値が芯材２０の外径の最大値よりも大きくなることで、固形塩９が芯材２０を中心として回動することができる。
【００６７】
このように、設置装置１は、対象動物８が固形塩９を摂取するときに、固形塩９を回動させるものとなるように、固形塩９の孔部９１に挿通される芯材２０を有する。これにより、設置装置１は、対象動物８が固形塩９を摂取するときに、図中矢印Ｗ方向に向けて回動するものとなり、摂取の際の反力が小さくなることで摂取量が減少するとともに、固形塩９が外周面から満遍なく摂取されるため、摂取され尽くされるのを遅らせることが可能となる。その結果、固形塩９の交換回数を減少させることが可能となる。
【００６８】
設置装置１は、固形塩９の略中央に孔部９１が形成されることによって、対象動物８が固形塩９を摂取するときに、固形塩９が偏心することなく、芯材２０を中心に回動することが可能となる。その結果、対象動物８が固形塩９を外側面から満遍なく摂取することが可能となる。
【００６９】
設置装置１は、図３に示すように、固形塩９の上面側９ｂに雨除板５０が設けられることによって、固形塩９が雨除板５０に覆われるため、雨が降ったとき、固形塩９が濡れるのを防止することが可能となり、雨水により融解するのを抑制することが可能となる。
【００７０】
設置装置１は、芯材２０の上端側２０ｂにナット６２が螺着されることによって、対象動物８が固形塩９を摂取したときに、固形塩９及び雨除板５０が芯材２０から脱離するのを防止することが可能となる。
【００７１】
なお、本発明に係る野生動物用固形塩設置装置は、芯材が上方から下方に向かうにつれて拡径されるように、テーパー状に形成されるものであってもよい。このとき、支柱の上端側に接続された芯材に固形塩の孔部を挿通させることで、固形塩が芯材に固定され、地面から所定の高さに配置されるものとなる。このとき、受け板は、省略することも可能となる。
【００７２】
次に、本発明の第２実施形態に係る野生動物用固形塩設置装置１について説明する。なお、第１実施形態に係る野生動物用固形塩設置装置１と同一構成、部材は同一の符号を付すことにより、以下での説明は省略する。
【００７３】
設置装置１は、第２実施形態において、図６に示すように、固形塩９に形成された孔部９１に挿通される芯材２０と、芯材２０が接続される支柱３０とを備える。特に、第２実施形態において、設置装置１は、２本の支柱３０の上端側３０ｂの間に受け板４０が取り付けられ、受け板４０が芯材２０の両端部１２０ａ、１２０ｂを支持する２枚の側板１４１を有する。
【００７４】
支柱３０は、平面視でＬ字状に形成されるＬ型アングル材で構成され、側面に上下方向に間隔をあけて複数のボルト孔１３０ａが形成される。
【００７５】
受け板４０は、鋼板で構成され、両端部に上方に向けて延びて形成された２枚の側板１４１を有する。側板１４１は、ボルト孔１４１ａが形成される。また、側板１４１は、上端部に芯材２０が支持される支持部１４２が形成される。この支持部１４２は、側板１４１の上端部が切り欠かれて形成される。なお、支持部１４２は、芯材２０が挿通される孔であってもよい。
【００７６】
受け板４０は、固形塩９の下面側９ａに配置される。また、側板１４１は、固形塩９の孔部９１を有する側面９ｃに対向するように配置される。受け板４０は、図７（ａ）及び（ｂ）に示すように、支柱３０のボルト孔１３０ａに位置を合わせて設けられる側板１４１のボルト孔１４１ａに、ボルト６１の軸を挿通させて、ボルト６１の先端にナット６２を螺着させることで、支柱３０の上端側３０ｂに取り付けられる。
【００７７】
芯材２０は、固形塩９を貫通させた孔部９１に挿通されて、両端部１２０ａ、１２０ｂが上方から側板１４１の支持部１４２に嵌め込まれ、側板１４１の支持部１４２に支持される。芯材２０は、側板１４１が支柱３０に取り付けられ、芯材２０の両端部１２０ａ、１２０ｂが支柱３０に支持されることで、支柱３０の上端側３０ｂに接続される。
【００７８】
設置装置１は、固形塩９の孔部９１に挿通された芯材２０が、支柱３０の上端側３０ｂに接続されることで、地面Ｇから所定の高さに固形塩９が配置されるものとなる。これにより、設置装置１は、固形塩９が積雪や落ち葉等により埋没するのを防止することが可能となり、その設置位置の認識が容易となる。また、設置装置１は、固形塩９が地表の水たまりや雪等から水分を吸収することにより融解するのを防止することが可能となる。
【００７９】
また、設置装置１は、対象動物８ではない対象外動物７が固形塩９に容易に尿等によりマーキングするのを防止することが可能となり、対象動物８が固形塩９を摂取するのを促すことが可能となる。
【００８０】
設置装置１は、支柱３０の下端側３０ａが地面Ｇに埋設されることによって、支柱３０の設置位置が固定されるため、固形塩９を対象動物８が摂取したとき、その位置が変わることがなく、設置位置を容易に判別することが可能となる。
【００８１】
また、設置装置１は、上下方向に間隔をあけて設けられる複数のボルト孔１３０ａを適宜選択することによって、芯材２０の両端部１２０ａ、１２０ｂが支持される側板１４１の支持部１４２の設置高さを調整することが可能となるため、固形塩９の設置高さを調整することが可能となる。その結果、設置装置１は、落ち葉や積雪等により地面Ｇの高さが相対的に高くなった場合であっても、対象動物８が固形塩９を摂取しやすい所定の高さに現地（保護地外）で容易に調整することが可能となる。
【００８２】
設置装置１は、支持部１４２が切り欠かれて形成されることによって、芯材２０を上方から嵌め込むことが可能となり、芯材２０が貫通された固形塩９を容易に設置することが可能となる。
【００８３】
設置装置１は、芯材２０が切り欠かれて形成された支持部１４２に嵌め込まれることによって、固形塩９が芯材２０の貫通方向と直交する方向に向けて移動するのを防止することが可能となる。
【００８４】
設置装置１は、固形塩９の孔部９１が形成される側面９ｃに対向するように側板１４１が配置されることによって、固形塩９が芯材２０の貫通方向に向けて移動するのを防止することが可能となる。
【００８５】
設置装置１は、固形塩９の下面側９ａに受け板４０が配置されることによって、固形塩９が下方に脱落するのを防止することが可能となる。
【００８６】
設置装置１は、芯材２０が固形塩９を貫通させた孔部９１に挿通されて、芯材２０の両端部１２０ａ、１２０ｂが支柱３０に支持されることで、支柱３０の上端側３０ｂに接続されるものとなる。設置装置１は、固形塩９が摂取されて縮小した場合には、固形塩９が受け板４０に接触することなく、芯材２０を中心として回動することが可能となる。
【００８７】
このように、設置装置１は、対象動物８が固形塩９を摂取するときに、回動するものとなり、摂取の際の反力が小さくなることで摂取量が減少するとともに、固形塩９が外周面から満遍なく摂取されるため、摂取され尽くされるのを遅らせることが可能となり、固形塩９の交換回数を減少させることが可能となる。
【００８８】
次に、本発明の第３実施形態に係る野生動物用固形塩設置装置１について説明する。なお、第１実施形態に係る野生動物用固形塩設置装置１と同一構成、部材は同一の符号を付すことにより、以下での説明は省略する。
【００８９】
設置装置１は、第３実施形態において、図８に示すように、固形塩９に形成された孔部９１に挿通される芯材２０と、芯材２０が接続される支柱３０とを備える。特に、第３実施形態において、設置装置１は、支柱３０の上端側３０ｂに挟持部材１７を介して受け板４０が取り付けられ、受け板４０が芯材２０の下端側２０ａに固定される。
【００９０】
芯材２０は、樹脂で構成されて、円柱状に形成されている。芯材２０は、固形塩９の下面側９ａに配置される受け板４０から上方に向けて突出させて設けられて、支柱３０の上端側３０ｂに受け板４０が取り付けられることで、支柱３０の上端側３０ｂに接続される。
【００９１】
受け板４０は、樹脂で構成される略矩形状の板材であり、略中央に芯材２０が固定されている。
【００９２】
受け板４０は、図９（ａ）及び（ｂ）に示すように、ボルト孔２４１ａが２か所に形成される当接板２４１が取り付けられる。受け板４０は、下面４０ａから支持される支持板２４２が２枚取り付けられる。支持板２４２は、当接板２４１に取り付けられる。なお、当接板２４１と、支持板２４２は、如何なる材質のものが用いられてもよいが、受け板４０と同一の材質で構成されることが望ましい。
【００９３】
受け板４０は、図１０（ａ）に示すように、当接板２４１を支柱３０に当接させて、支柱３０が当接板２４１及び挟持部材１７に挟持されることで、支柱３０の上端側３０ｂに取り付けられる。
【００９４】
挟持部材１７は、図１０（ｂ）に示すように、１枚の鋼板からなり、平面視で略Ｕ字状に形成されて支柱３０に当接される挟持部７０と、挟持部７０の両端に当接板２４１に当接される取付部７１とを有する。取付部７１は、当接板２４１におけるボルト孔２４１ａに位置を合わせて設けられるボルト孔７１ａが形成される。なお、この挟持部材１７は、上述した態様の他に、支柱３０を挟持するものとして、Ｕ型ボルトが用いられてもよい。
【００９５】
設置装置１は、当接板２４１と、挟持部材１７の取付部７１と、を互いに当接させて支柱３０が挟持される。このとき、互いに位置合わせされた当接板２４１の各ボルト孔２４１ａと、取付部７１の各ボルト孔７１ａとに、ボルト６１の軸をそれぞれ挿通させて、ボルト６１の軸先端に、ナット６２を螺着させる。
【００９６】
なお、設置装置１は、ボルト６１の頭と当接板２４１との間に添接板７９が介装され、添接板７９の各ボルト孔７９ａと当接板２４１の各ボルト孔２４１ａとがそれぞれ位置合わせされている。
【００９７】
この添接板７９は、図８に示すように、略長方形状の鋼板で構成される。添接板７９は、略円形状のボルト孔７９ａが２か所に形成される。なお、添接板７９は、その材質が鋼材で構成されるものとするが、アルミニウム、真鍮等のようにあらゆる種類の金属や樹脂等で構成されてもよい。
【００９８】
この添接板７９を介装させることによって、ボルト６１を締結したとき、ボルト６１の頭から当接板２４１との間に作用する力を分散させて、当接板２４１に伝達することが可能となる。なお、この添接板７９の構成は、省略されてもよい。
【００９９】
設置装置１は、上述したようなボルト６１とナット６２とを締結したとき、支柱３０が当接板２４１及び挟持部材１７の挟持部７０とに挟持されて、支柱３０に対して押圧力が作用することによって、支柱３０の上端側３０ｂに受け板４０が取り付けられるものとなる。
【０１００】
また、設置装置１は、ボルト６１とナット６２との締結を緩めることによって、当接板２４１と、挟持部材１７との間で支柱３０に作用する押圧力を弱めることで、受け板４０を支柱３０から取り外すことが可能となるものである。
【０１０１】
このため、設置装置１は、固形塩９が載置される受け板４０が、支柱３０に対して高さ調整が可能に接続されるものとなる。
【０１０２】
設置装置１は、固形塩９の孔部９１に挿通された芯材２０が、支柱３０の上端側３０ｂに接続されることで、地面Ｇから所定の高さに固形塩９が配置されるものとなる。これにより、設置装置１は、固形塩９が積雪や落ち葉等により埋没するのを防止することが可能となり、その設置位置の認識が容易となる。また、設置装置１は、固形塩９が土に含まれる水分、地表の水たまりや雪等から水を吸収することにより融解するのを防止することが可能となる。
【０１０３】
また、設置装置１は、対象動物８ではない対象外動物７が固形塩９に容易に尿等によりマーキングするのを防止することが可能となり、対象動物８が固形塩９を摂取するのを促すことが可能となる。
【０１０４】
設置装置１は、支柱３０の下端側３０ａが地面Ｇに埋設されることによって、支柱３０の設置位置が固定されるため、固形塩９を対象動物８が摂取したとき、その位置が変わることがなく、設置位置を容易に判別することが可能となる。
【０１０５】
設置装置１は、ある程度の重量（例えば１０ｋｇ程度）で構成される固形塩９を受け板４０に載置したとき、受け板４０が支柱３０に対して水平方向に向けて張り出すような形態となっているため、受け板４０と当接板２４１との接続部にモーメントが作用することとなる。このとき、設置装置１は、支柱３０から水平方向に向けて張り出された受け板４０が支持板２４２に下方から支持されることによって、受け板４０が支柱３０から脱落するのを防止することが可能となる。
【０１０６】
次に、本発明の第４実施形態に係る野生動物用固形塩設置装置１について説明する。なお、第１実施形態に係る野生動物用固形塩設置装置１と同一構成、部材は同一の符号を付すことにより、以下での説明は省略する。
【０１０７】
設置装置１は、第４実施形態において、図１１に示すように、固形塩９に形成された孔部９１に挿通される芯材２０と、芯材２０が接続される支柱３０とを備える。
【０１０８】
支柱３０は、１本の鋼管で構成され、上方が開放されるようにＵ字状に折り曲げられた溝部２３１を有し、溝部２３１の上端部がそれぞれ下方に向けて折り曲げられている。
【０１０９】
芯材２０は、溝部２３１に上方から嵌め込まれ、溝部２３１の外側に配置されるように一方の端部１２０ａに鋼板で構成される略円形状の端部板２２１が溶接等により固定される。芯材２０は、他方の端部１２０ｂがねじ切りされて形成される。また、芯材２０は、溝部２３１の外側に配置されるように他方の端部１２０ｂに鋼板で構成される略円形状の係止板２２２が挿通されて、ナット６２が螺着される。このナット６２を螺着させることにより、係止板２２２が芯材２０から引き抜かれるのを防止することが可能となる。
【０１１０】
設置装置１は、図１２（ａ）に示すように、芯材２０が固形塩９を貫通させた孔部９１に挿通されて、芯材２０の両端部１２０ａ、１２０ｂがそれぞれ支柱３０の溝部２３１に支持されることで、支柱３０の上端側３０ｂに接続される。
【０１１１】
設置装置１は、固形塩９の孔部９１に挿通された芯材２０が、支柱３０の上端側３０ｂに接続されることで、地面Ｇから所定の高さに固形塩９が配置されるものとなる。これにより、設置装置１は、固形塩９が積雪や落ち葉等により埋没するのを防止することが可能となり、その設置位置の認識が容易となる。また、設置装置１は、固形塩９が土に含まれる水分、地表の水たまりや雪等から水を吸収することにより融解するのを防止することが可能となる。
【０１１２】
また、設置装置１は、対象動物８ではない対象外動物７が固形塩９に容易に尿等によりマーキングするのを防止することが可能となり、対象動物８が固形塩９を摂取するのを促すことが可能となる。
【０１１３】
設置装置１は、支柱３０の下端側３０ａが地面Ｇに埋設されることによって、支柱３０の設置位置が固定されるため、固形塩９を対象動物８が摂取したとき、その位置が変わることがなく、設置位置を容易に判別することが可能となる。
【０１１４】
設置装置１は、固形塩９の孔部９１に挿通された芯材２０の両端部１２０ａ、１２０ｂに、端部板２２１と、係止板２２２とがそれぞれ溝部２３１の外側に配置される。これにより、設置装置１は、芯材２０が固形塩９の孔部９１から引き抜かれるのを防止することが可能となる。
【０１１５】
設置装置１は、図１２（ｂ）に示すように、溝部２３１の上方が開放されていることによって、この溝部２３１に芯材２０を嵌め込むことできる。このため、設置装置１は、芯材２０に貫通された状態で固形塩９を支柱３０の上端側３０ｂに、容易に設置及び取り外し作業を行うことが可能となる。
【０１１６】
設置装置１は、芯材２０が固形塩９を貫通させた孔部９１に挿通されて、芯材２０の両端部１２０ａ、１２０ｂが支柱３０に支持されることで、固形塩９が円滑に芯材２０を中心として図中矢印Ｒ方向に向けて回動することが可能となる。
【０１１７】
設置装置１は、対象動物８が固形塩９を摂取するときに、固形塩９が芯材２０を中心として回動するものとなり、摂取の際の反力が小さくなることで摂取量が減少するとともに、固形塩９が外周面から満遍なく摂取されるため、摂取され尽くされるのを遅らせることが可能となり、固形塩９の交換回数を減少させることが可能となる。
【０１１８】
なお、本発明の第２実施形態〜第４実施形態に係る設置装置１は、固形塩９の上面側９ｂに雨除板５０が設けられるものであってもよい。
【０１１９】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【０１２０】
１        ：野生動物用固形塩設置装置
７        ：対象外動物
８        ：対象動物
９        ：固形塩
９ａ      ：下面側
９ｂ      ：上面側
９ｃ      ：側面
１７      ：挟持部材
２０      ：芯材
２０ａ    ：下端側
２０ｂ    ：上端側
３０      ：支柱
３０ａ    ：下端側
３０ｂ    ：上端側
４０      ：受け板
４０ａ    ：下面
４０ｂ    ：上面
４１      ：固定部材
５０      ：雨除板
５０ａ    ：孔部
６１      ：ボルト
６２      ：ナット
７０      ：挟持部
７１      ：取付部
７１ａ    ：ボルト孔
７９      ：添接板
７９ａ    ：ボルト孔
９１      ：孔部
１２０ａ  ：端部
１２０ｂ  ：端部
１３０ａ  ：ボルト孔
１４１    ：側板
１４１ａ  ：ボルト孔
１４２    ：支持部
２２１    ：端部板
２２２    ：係止板
２３１    ：溝部
２４１    ：当接板
２４１ａ  ：ボルト孔
２４２    ：支持板
Ｇ        ：地面
Ｈ１      ：肩高
Ｈ２      ：肩高
【図１】
2017176144.tif 000003
【図２】
2017176144.tif 000004
【図３】
2017176144.tif 000005
【図４】
2017176144.tif 000006
【図５】
2017176144.tif 000007
【図６】
2017176144.tif 000008
【図７】
2017176144.tif 000009
【図８】
2017176144.tif 000010
【図９】
2017176144.tif 000011
【図１０】
2017176144.tif 000012
【図１１】
2017176144.tif 000013
【図１２】
2017176144.tif 000014